【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
汎用安全電気外科リターン電極であって、
電流を導電するように構成された導電要素であって、向かい合った第１の主要表面および第２の主要表面を有する導電要素と、
前記導電要素の前記第１の主要表面に隣接して配置された第１のパッドであって、約０．１２０インチ以下の厚さを有する第１のパッドと、
前記導電要素の前記第２の主要表面に隣接して配置された第２のパッドであって、約０．１２０インチ以下の厚さを有する第２のパッドと
を備え、
前記第１のパッドおよび前記第２のパッドの前記厚さは、前記汎用安全電気外科リターン電極が、約０．８ポンド以上の体重があるどのような患者に使用されたときでも、自己制限型になることを可能にすることを特徴とする汎用安全電気外科リターン電極。
【請求項２】
前記汎用安全電気外科リターン電極は、患者から前記導電要素に伝送された電流が、前記患者によって接触された前記汎用安全電気外科リターン電極の部分にわたって不均一に送られることを特徴とする請求項１に記載の汎用安全電気外科リターン電極。
【請求項３】
前記第１のパッドは、電気外科処置中、患者に隣接して配置されるように構成された外面を画定し、前記導電要素の第１の部分は、前記導電要素の第２の部分より、前記外面の近傍に配設されることを特徴とする請求項１に記載の汎用安全電気外科リターン電極。
【請求項４】
前記導電要素は、全体的にアーチまたはドーム形状を有することを特徴とする請求項１に記載の汎用安全電気外科リターン電極。
【請求項５】
前記第１のパッドおよび前記第２のパッドは、前記導電要素と協働して前記汎用安全電気外科リターン電極の両側に第１の作用表面および第２の作用表面を画定することを特徴とする請求項１に記載の汎用安全電気外科リターン電極。
【請求項６】
前記汎用安全電気外科リターン電極は、電気外科処置中、前記第１の作用表面または前記第２の作用表面を患者に向けて配置させるように構成されることを特徴とする請求項５に記載の汎用安全電気外科リターン電極。
【請求項７】
（ｉ）前記第１のパッドおよび前記導電要素ならびに（ｉｉ）前記第２のパッドおよび前記導電要素の各々は、前記汎用安全電気外科リターン電極を流れ抜ける電流の密度を約１００ｍＡ／ｃｍ2を下回るように限定することを特徴とする請求項１に記載の汎用安全電気外科リターン電極。
【請求項８】
前記第１のパッドおよび前記第２のパッドの少なくとも１つは、ゲルから形成されることを特徴とする請求項１に記載の汎用安全電気外科リターン電極。
【請求項９】
前記第１のパッドおよび前記第２のパッドは、前記導電要素をそれらの間にして互いに固定されることを特徴とする請求項１に記載の汎用安全電気外科リターン電極。
【請求項１０】
前記第１のパッドおよび前記第２のパッドの各々は、約０．０２インチから約０．１２０インチの間の厚さを有することを特徴とする請求項１に記載の汎用安全電気外科リターン電極。
【請求項１１】
前記第１のパッドおよび前記第２のパッドの少なくとも１つは、充填材料によって充填された内部チャンバを画定する内側カバー層および外側カバー層を備えることを特徴とする請求項１に記載の汎用安全電気外科リターン電極。
【請求項１２】
可逆式安全電気外科リターン電極であって、
電流を導電するように構成された導電要素であって、第１の平面的な主要表面および対向する第２の平面的な主要表面を有する導電要素と、
前記導電要素の前記第１の平面的な主要平面に隣接して配置された第１のパッドであって、前記第１のパッドおよび前記導電要素が協働して、前記可逆式安全電気外科リターン電極の第１の側に前記可逆式安全電気外科リターン電極の第１の作用表面を画定する、第１のパッドと、
前記導電要素の前記第２の平面的な主要平面に隣接して配置された第２のパッドであって、前記第２のパッドおよび前記導電要素が協働して、前記第１の側と反対側の前記可逆式安全電気外科リターン電極の第２の側に前記可逆式安全電気外科リターン電極の第２の作用表面を画定する、第２のパッドと
を備え、
前記可逆式安全電気外科リターン電極は、電気外科処置中、前記第１の作用表面または前記第２の作用表面を患者に向けて配置させるように構成されることを特徴とする可逆式安全電気外科リターン電極。
【請求項１３】
前記第１のパッドは、内部チャンバを画定する内側カバー層および外側カバー層を備えることを特徴とする請求項１２に記載の可逆式安全電気外科リターン電極。
【請求項１４】
前記内部チャンバは、粘弾性材料、ゲル、水、生理食塩水、水ベース材料、導電性油、またはその組み合わせからなる群から選択された材料によって充填されることを特徴とする請求項１３に記載の可逆式安全電気外科リターン電極。
【請求項１５】
前記内側カバー層は、前記導電要素の前記第１の平面的な主要表面に固定されることを特徴とする請求項１３に記載の可逆式安全電気外科リターン電極。
【請求項１６】
前記第２のパッドは、外側カバー層および充填材料を備えることを特徴とする請求項１２に記載の可逆式安全電気外科リターン電極。
【請求項１７】
前記第２のパッドの前記外側カバー層の縁は、前記導電要素を前記第１のパッドと前記第２のパッドの間に配設して前記第１のパッドの縁に取り付けられることを特徴とする請求項１６に記載の可逆式安全電気外科リターン電極。
【請求項１８】
前記第２のパッドの前記外側カバー層および前記導電要素は、前記第２のパッドの前記充填材料が中に配設される第２の内部チャンバを少なくとも部分的に画定することを特徴とする請求項１６に記載の可逆式安全電気外科リターン電極。
【請求項１９】
前記可逆式安全電気外科リターン電極は、患者から前記導電要素に伝送された電流が、前記患者によって接触された前記可逆式安全電気外科リターン電極の部分にわたって不均一に送られるように構成されることを特徴とする請求項１２に記載の可逆式安全電気外科リターン電極。
【請求項２０】
前記第１のパッドおよび前記第２のパッドの各々は、約０．０２インチから約０．１２０インチの間の厚さを有することを特徴とする請求項１２に記載の可逆式安全電気外科リターン電極。
【請求項２１】
前記可逆式安全電気外科リターン電極は、複数の工業規格体重区分からの患者に安全に使用されるように構成されることを特徴とする請求項１２に記載の可逆式安全電気外科リターン電極。
【請求項２２】
汎用安全電気外科リターン電極であって、
電流を導電するように構成された導電要素であって、第１の主要表面および対向する第２の主要表面を有する導電要素と、
前記導電要素の前記第１の主要表面に隣接して配置された第１のパッドであって、電気外科処置中、患者に隣接して配置されるように構成された全体的に平面的な外面を有する第１のパッドと、
前記導電要素の前記第２の主要表面に隣接して配置された第２のパッドと
を備え、
前記導電要素は、前記第１のパッドと第２のパッドの間に湾曲構成で固定され、それにより、前記導電要素の第１の部分は、前記導電要素の第２の部分より、前記第１のパッドの前記外面の近傍に配置され、
前記導電要素の前記湾曲構成は、前記汎用安全電気外科リターン電極が、約０．８ポンド以上の体重があるどのような患者に使用されたときでも、自己制限型になることを可能にすることを特徴とする汎用安全電気外科リターン電極。
【請求項２３】
前記導電要素の前記第１の部分は、前記第１のパッドの前記外面から約０．０２インチから約０．１２０インチの間のところに配置されることを特徴とする請求項２２に記載の汎用安全電気外科リターン電極。
【請求項２４】
前記導電要素の前記第１の部分を識別する１つまたはより多くの視覚インジケータをさらに備えることを特徴とする請求項２３に記載の汎用安全電気外科リターン電極。
【請求項２５】
前記汎用安全電気外科リターン電極は、患者から前記導電要素に伝送された電流が、前記患者によって接触された前記汎用安全電気外科リターン電極の部分にわたって不均一に送られるように構成されることを特徴とする請求項２２に記載の汎用安全電気外科リターン電極。
【請求項２６】
汎用安全電気外科リターン電極であって、
電流を導電するように構成された導電要素であって、第１の主要表面および対向する第２の主要表面を有する導電要素と、
前記導電要素の前記第１の主要表面に隣接して配置された第１のパッドであって、電気外科処置中、患者に隣接して配置されるように構成された外面を有し、第１の誘電定数を有する第１の領域と、第２の誘電定数を有する第２の領域とを有し、前記第１の誘電定数が前記第２の誘電定数と異なっている、第１のパッドと、
前記導電要素の前記第２の主要表面に隣接して配置された第２のパッドと
を備え、
前記第１のパッドの前記第１の誘電定数および前記第２の誘電定数は、前記汎用安全電気外科リターン電極が、約０．８ポンド以上の体重があるどのような患者に使用されたときでも、自己制限型になることを可能にすることを特徴とする汎用安全電気外科リターン電極。
【請求項２７】
前記第２のパッドは、電気外科処置中、患者に隣接して配置されるように構成された外面を有することを特徴とする請求項２６に記載の汎用安全電気外科リターン電極。
【請求項２８】
前記第２のパッドは、第１の誘電定数を有する第１の領域と、第２の誘電定数を有する第２の領域とを有し、前記第１の誘電定数が前記第２の誘電定数と異なっていることを特徴とする請求項２６に記載の汎用安全電気外科リターン電極。
【請求項２９】
前記第１の領域および前記第２の領域の少なくとも１つを識別する１つまたはより多くの視覚インジケータをさらに備えることを特徴とする請求項２６に記載の汎用安全電気外科リターン電極。
【請求項３０】
汎用安全電気外科リターン電極であって、
電流を導電するように構成された導電要素であって、前記導電要素によって導導される前記電流の電流密度を不均一にする１つまたはより多くの構造的表面特徴を有する導電要素と、
前記導電要素の第１の主要表面に隣接して配置された第１のパッドと、
前記導電要素の第２の主要表面に隣接して配置された第２のパッドと
を備え、
前記１つまたはより多くの構造的表面特徴は、前記汎用安全電気外科リターン電極が、約０．８ポンド以上の体重があるどのような患者に使用されたときでも、自己制限型になることを可能にすることを特徴とする汎用安全電気外科リターン電極。
【請求項３１】
前記１つまたはより多くの構造的表面特徴は、前記導電要素を貫通して延びる複数の開口を備えることを特徴とする請求項３０に記載の汎用安全電気外科リターン電極。
【請求項３２】
前記複数の開口は、２つまたはそれ以上の開口分布領域内に配置されることを特徴とする請求項３１に記載の汎用安全電気外科リターン電極。
【請求項３３】
前記複数の開口分布領域の第１の開口分布領域は、第１の密度で構成された開口を備え、
前記複数の開口分布領域の第２の開口分布領域は、第２の密度で構成された開口を備え、前記第２の密度が前記第１の密度と異なっていることを特徴とする請求項３２に記載の汎用安全電気外科リターン電極。
【請求項３４】
前記第１の開口分布領域は、前記第２の開口分布領域と同心であることを特徴とする請求項３３に記載の汎用安全電気外科リターン電極。
【請求項３５】
前記第１の開口分布領域および前記第２の開口分布領域は、互いに重複しないことを特徴とする請求項３３に記載の汎用安全電気外科リターン電極。
【請求項３６】
前記第１の開口分布領域および前記第２の開口分布領域は、互いに重複することを特徴とする請求項３３に記載の汎用安全電気外科リターン電極。
【請求項３７】
少なくとも１つまたはそれ以上の開口分布領域を識別する１つまたはより多くの視覚インジケータをさらに備えることを特徴とする請求項３２に記載の汎用安全電気外科リターン電極。
【請求項３８】
前記１つまたはより多くの構造的表面特徴は、前記導電要素の少なくとも１つの主要表面から延びる複数の突起部を備えることを特徴とする請求項３０に記載の汎用安全電気外科リターン電極。
【請求項３９】
前記複数の突起部は、２つまたはそれ以上の突起部分布領域内に配置されることを特徴とする請求項３８に記載の汎用安全電気外科リターン電極。
【請求項４０】
前記複数の突起部分布領域の第１の突起部分布領域は、第１の密度で構成された突起部を備え、
前記複数の突起部分布領域の第２の突起部分布領域は、第２の密度で構成された突起部を備え、前記第２の密度が前記第１の密度とは異なっていることを特徴とする請求項３９に記載の汎用安全電気外科リターン電極。
【請求項４１】
前記第１の突起部分布領域は、前記第２の突起部分布領域と同心であることを特徴とする請求項４０に記載の汎用安全電気外科リターン電極。
【請求項４２】
前記第１の突起部分布領域および前記第２の突起部分布領域は、互いに重複しないことを特徴とする請求項４０に記載の汎用安全電気外科リターン電極。
【請求項４３】
前記第１の突起部分布領域および前記第２の突起部分布領域は、互いに重複することを特徴とする請求項４０に記載の汎用安全電気外科リターン電極。
【請求項４４】
少なくとも１つまたはそれ以上の突起部分布領域を識別する１つまたはより多くの視覚インジケータをさらに備えることを特徴とする請求項３９に記載の汎用安全電気外科リターン電極。
【請求項４５】
汎用安全電気外科リターン電極であって、
電流を導電するように構成された導電要素であって、第１の主要表面および対向する第２の主要表面を有する導電要素と、
前記導電要素の前記第１の主要表面に隣接して配置された第１のパッドであって、電気外科処置中、患者に隣接して配置されるように構成された第１の作用表面を画定する全体的に平面的な外面を有する第１のパッドと、
前記導電要素の前記第２の主要表面に隣接して配置された第２のパッドであって、電気外科処置中、患者に隣接して配置されるように構成された第２の作用表面を画定する全体的に平面的な外面を有する第２のパッドと
備え、
前記導電要素は、前記第１のパッドと第２のパッドの間に、交互のピークおよび谷を形成するように波形構成で固定され、前記ピークは、前記第１の作用表面に隣接して配置され、前記谷は、前記第２の作用表面に隣接して配置され、
前記導電要素の前記波形構成は、前記汎用安全電気外科リターン電極が、約０．８ポンド以上の体重があるどのような患者に使用されたときでも、自己制限型になることを可能にすることを特徴とする汎用安全電気外科リターン電極。
【請求項４６】
前記導電要素は、第１の分布領域および第２の分布領域を形成し、前記導電要素の前記ピークは、前記第２の分布領域内より、前記第１の分布領域内により密接に一緒に配置されることを特徴とする請求項４５に記載の汎用安全電気外科リターン電極。
【請求項４７】
前記第１の分布領域または前記第２の分布領域の少なくとも１つを識別する１つまたはより多くの視覚インジケータをさらに備えることを特徴とする請求項４６に記載の汎用安全電気外科リターン電極。
【請求項４８】
汎用安全電気外科リターン電極であって、
電流を選択的に導電するように構成された第１の導電要素であって、本リターン電極の第１の平面内に配設され、第１の主要表面および対向する第２の主要表面を有する第１の導電要素と、
前記第１の導電要素の前記第１の主要表面に隣接して配置された第１のパッドであって、電気外科処置中、患者に隣接して配置されるように構成された作用表面を画定する全体的に平面的な外面を有する第１のパッドと、
前記第１の導電要素の前記第２の主要表面に隣接して配置された第２のパッドと、
電流を選択的に導電するように構成された第２の導電要素であって、本リターン電極の第２の平面内、かつ前記第１の導電要素と反対側の前記第２のパッドの側に前記第２のパッドに隣接して配設され、前記第１の導電要素より、前記作用表面からより遠くに配置される第２の導電要素と、
前記第１の導電要素または前記第２の導電要素は、前記作用表面に隣接して配置された患者から電流を導電するように選択されることを可能にする選択機構と
を備えることを特徴とする汎用安全電気外科リターン電極。
【請求項４９】
前記第１の導電要素は、前記作用表面から第１の所定距離で離間されて、第１の所定の区分の患者に対して第１のレベルの容量性結合をもたらすことを特徴とする請求項４８に記載の汎用安全電気外科リターン電極。
【請求項５０】
前記第２の導電要素は、前記作用表面から第２の所定距離で離間されて、第２の所定の区分の患者に対して第２のレベルの容量性結合をもたらすことを特徴とする請求項４９に記載の汎用安全電気外科リターン電極。
【請求項５１】
前記第２のパッドと反対側の前記第２の導電要素の側に前記第２の導電要素に隣接して配置された第３のパッドと、
選択的に電流を導電するように構成された第３の導電要素であって、本リターン電極の第３の平面内かつ前記第２の導電要素と反対側の前記第３のパッドの側に前記第３のパッドに隣接して配置される、第３の導電要素と
をさらに備えることを特徴とする請求項４８に記載の汎用安全電気外科リターン電極。
【請求項５２】
前記第３の導電要素は、前記作用表面から第３の所定距離だけ離間されて、第３の所定の区分の患者に対して第３のレベルの容量性結合をもたらすことを特徴とする請求項５１に記載の汎用安全電気外科リターン電極。
【請求項５３】
汎用安全電気外科リターン電極であって、
電流を選択的に導電するように構成された第１の導電要素であって、本リターン電極の第１の平面内に配設され、第１の主要平面および対向する第２の主要平面を有する第１の導電要素と、
前記第１の導電要素の前記第１の主要表面に隣接して配置された第１のパッドであって、電気外科処置中、患者に隣接して配置されるように構成された第１の作用表面を画定する全体的に平面的な外面を有する第１のパッドと、
電流を選択的に導電するように構成された第２の導電要素であって、本リターン電極の第２の平面内に配設され、第１の主要平面および対向する第２の主要平面を有する第２の導電要素と、
前記第２の導電要素の前記第２の主要表面に隣接して配置された第２のパッドであって、電気外科処置中、患者に隣接して配置されるように構成された第２の作用表面を画定する全体的に平面的な外面を有する第２のパッドと、
前記第１の導電要素および前記第２の導電要素を分離する第３のパッドと
を備え、
前記第１の導電要素は、前記第１の作用表面に隣接して配置された患者から電流を導電するように構成され、前記第２の導電要素は、前記第２の作用表面に隣接して配置された患者から電流を導電するように構成されることを特徴とする汎用安全電気外科リターン電極。
【請求項５４】
前記第１の導電要素は、前記第１の作用表面から第１の距離だけ離間され、前記第２の導電要素は、前記第２の作用表面から、前記第１の距離とは異なる第２の距離だけ離間され、それにより、前記第１および第２の導電要素は、異なるレベルの容量性結合を患者にもたらすことを特徴とする請求項５３に記載の汎用安全電気外科リターン電極。
【請求項５５】
前記第１のパッドは、第１の誘電定数を有し、前記第２のパッドは、前記第１の誘電定数とは異なる第２の誘電定数を有し、それにより、前記第１の導電要素および前記第２の導電要素は、異なるレベルの容量性結合を患者にもたらすことを特徴とする請求項５３に記載の汎用安全電気外科リターン電極。
【請求項５６】
前記第１の作用表面を前記第２の作用表面から区別するための１つまたはより多くの視覚インジケータをさらに備えることを特徴とする請求項５３に記載の汎用安全電気外科リターン電極。
【請求項５７】
汎用安全電気外科リターン電極であって、
電流を導電するように構成された導電要素であって、向かい合った第１の主要表面および第２の主要表面を有する導電要素と、
前記導電要素の前記第１の主要表面に隣接して配置された第１のパッドと、
前記導電要素の前記第２の主要表面に隣接して配置された第２のパッドと、
１つまたはより多くの視覚インジケータであって、
第１の所定の区分からの患者に使用するように構成された、本リターン電極の第１の領域と、
第２の所定の区分からの患者に使用するように構成された、本リターン電極の第２の領域と
を識別する、視覚インジケータと
を備えることを特徴とする汎用安全電気外科リターン電極。
【請求項５８】
前記第１の領域は、約５ｋｇ未満の体重がある患者に使用するように構成されることを特徴とする請求項５７に記載の汎用安全電気外科リターン電極。
【請求項５９】
前記第２の領域は、約５ｋｇから１５ｋｇの間の体重がある患者に使用するように構成されることを特徴とする請求項５７に記載の汎用安全電気外科リターン電極。
【請求項６０】
前記１つまたはより多くの視覚インジケータは、第３の所定の区分からの患者に使用するように構成された、本リターン電極の第３の領域をさらに識別することを特徴とする請求項５７に記載の汎用安全電気外科リターン電極。
【請求項６１】
前記第３の領域は、約１５ｋｇを上回る体重がある患者に使用するように構成されることを特徴とする請求項６０に記載の汎用安全電気外科リターン電極。
【請求項６２】
前記１つまたはより多くの視覚インジケータは、色分け、ラベル、画像、線画、またはその組み合わせを含むことを特徴とする請求項５７に記載の汎用安全電気外科リターン電極。
【請求項６３】
前記第１の領域は、本リターン電極の第１の側に配設され、前記第２の領域は、本リターン電極の対向する第２の側に配設されることを特徴とする請求項５７に記載の汎用安全電気外科リターン電極。
【請求項６４】
前記第１の領域および前記第２の領域はいずれも、本リターン電極の第１の側に配設されることを特徴とする請求項５７に記載の汎用安全電気外科リターン電極。
【請求項６５】
患者から電気外科リターン電極に容量性結合を介して不均一な電流密度で電気外科電流を安全に伝送するための方法であって、
前記電気外科リターン電極のインピーダンスを受動的に制御するステップを含むことを特徴とする方法。
【請求項６６】
前記電気外科リターン電極のインピーダンスを受動的に制御するステップは、前記電気外科リターン電極の第１の導電要素を前記電気外科リターン電極の作用表面から第１の所定距離のところに配置するステップを含むことを特徴とする請求項６５に記載の方法。
【請求項６７】
前記電気外科リターン電極のインピーダンスを受動的に制御するステップは、前記電気外科リターン電極の第２の導電要素を前記電気外科リターン電極の作用表面から第２の所定距離のところに配置するステップを含むことを特徴とする請求項６６に記載の方法。
【請求項６８】
前記電気外科リターン電極のインピーダンスを受動的に制御するステップは、前記電気外科リターン電極の第３の導電要素を前記電気外科リターン電極の作用表面から第３の所定距離のところに配置するステップを含むことを特徴とする請求項６７に記載の方法。
【請求項６９】
前記電気外科リターン電極のインピーダンスを受動的に制御するステップは、電気外科電流を前記患者から導電するために前記第１の導電要素、前記第２の導電要素、および前記第３の導電要素のうちの１つを選択するステップをさらに含むことを特徴とする請求項６８に記載の方法。
【請求項７０】
前記電気外科リターン電極のインピーダンスを受動的に制御するステップは、前記電気外科リターン電極のパッドの１つまたはより多くの誘電定数を選択するステップを含み、前記パッドは、前記電気外科リターン電極の導電要素と前記電気外科リターン電極の作用表面の間に配設されることを特徴とする請求項６５に記載の方法。
【請求項７１】
前記電気外科リターン電極のインピーダンスを受動的に制御するステップは、前記電気外科リターン電極の導電要素上に１つまたはより多くの構造的表面特徴を設けるステップを含むことを特徴とする請求項６５に記載の方法。
【請求項７２】
１つまたはより多くの構造的表面特徴を設けるステップは、１つまたはより多くの開口を前記導電要素を貫通して形成するステップを含むことを特徴とする請求項７１に記載の方法。
【請求項７３】
１つまたはより多くの開口を前記導電要素を貫通して形成するステップは、前記導電要素内に２つまたはそれ以上の開口分布領域を形成するステップを含むことを特徴とする請求項７２に記載の方法。
【請求項７４】
２つまたはそれ以上の開口分布領域を形成するステップは、第１の開口分布密度を有する第１の開口分布領域と、前記第１の開口分布密度とは異なる第２の開口分布密度を有する第２の開口分布領域とを形成するステップを含むことを特徴とする請求項７３に記載の方法。
【請求項７５】
１つまたはより多くの構造的表面特徴を設けるステップは、前記導電要素上に１つまたはより多くの突起部を形成するステップを含むことを特徴とする請求項７１に記載の方法。
【請求項７６】
前記導電要素上に１つまたはより多くの突起部を形成するステップは、前記導電要素上に２つまたはそれ以上の突起部分布領域を形成するステップを含むことを特徴とする請求項７５に記載の方法。
【請求項７７】
２つまたはそれ以上の突起部分布領域を形成するステップは、第１の突起部分布密度を有する第１の突起部分布領域と、前記第１の突起部分布密度とは異なる第２の突起部分布密度を有する第２の突起部分布領域とを形成するステップを含むことを特徴とする請求項７６に記載の方法。
【請求項７８】
前記電気外科リターン電極のインピーダンスを受動的に制御するステップは、前記電気外科リターン電極の導電要素を非平面構成で形成するステップを含むことを特徴とする請求項６５に記載の方法。
【請求項７９】
前記電気外科リターン電極の前記導電要素を非平面構成で形成するステップは、前記導電要素をアーチ、ドーム型、または湾曲構成に形成するステップを含むことを特徴とする請求項７８に記載の方法。
【請求項８０】
前記電気外科リターン電極の前記導電要素を非平面構成で形成するステップは、前記導電要素が交互のピークおよび谷を形成するように前記導電要素を波形構成に形成するステップを含むことを特徴とする請求項７８に記載の方法。
【請求項８１】
前記電気外科リターン電極のインピーダンスを受動的に制御するステップは、
前記電気外科リターン電極の第１の導電要素を前記電気外科リターン電極の第１の作用表面から第１の所定距離のところに配置するステップ、
前記電気外科リターン電極の第２の導電要素を前記電気外科リターン電極の第２の作用表面から第２の所定距離のところに配置するステップ、および、
手術されている前記患者の体重またはサイズ区分に基づいて前記第１の作用表面または前記第２の作用表面を選択的に使用するステップ
を含むことを特徴とする請求項６５に記載の方法。